(57)【要約】【課題】録画再生装置において、シリーズの番組をダビングし忘れるといったユーザの失敗を軽減する。【解決手段】録画再生装置は、テレビジョン放送の番組を内部記録媒体のハードディスクに録画し、その録画を終了すると（＃１）、今回の録画番組がシリーズ最終回番組であるか否かを判別する最終回判別処理を行う（＃２）。今回録画した番組がシリーズ最終回番組であれば（＃３でＹＥＳ）、今回録画したシリーズ最終回番組と同じシリーズの全ての番組をダビングすることをユーザに促すメッセージを報知する（＃６）。そして、今回録画したシリーズ最終回番組と同じシリーズの全ての番組をダビングすることに応じる旨の操作がユーザによってなされると（＃７でＹＥＳ）、ハードディスクに録画されている番組のうち、今回録画したシリーズ最終回番組と同じリーズの全ての番組を一括して外部記録媒体の光ディスクにダビングする一括ダビング処理を行う（＃８）。【選択図】図２
2010239238.tif 000002
【特許請求の範囲】
【請求項１】
テレビジョン放送局から放送されるテレビジョン放送の番組を録画し、録画したテレビジョン放送の番組を再生する録画再生装置において、
テレビジョン放送局から放送されているテレビジョン放送の番組を本装置に内蔵の内部記録媒体に録画する番組録画手段と、
前記内部記録媒体に録画されているテレビジョン放送の番組を本装置に装着／取外しされる外部記録媒体にダビングする番組ダビング手段と、
前記番組録画手段によりテレビジョン放送の番組としてシリーズの最終回の番組であるシリーズ最終回番組が録画されると、前記シリーズ最終回番組と同じシリーズの全ての番組をダビングすることをユーザに促すメッセージであるダビングメッセージを報知するダビングメッセージ報知手段と、
を備えることを特徴とする録画再生装置。
【請求項２】
前記ダビングメッセージ報知手段は、
前記ダビングメッセージとして、前記シリーズ最終回番組と同じシリーズの全ての番組をダビングすることに応じるか否かをユーザに選択操作させるためのメッセージを報知し、
前記番組ダビング手段は、
前記ダビングメッセージ報知手段による前記ダビングメッセージの報知後、前記シリーズ最終回番組と同じシリーズの全ての番組をダビングすることに応じる旨の操作がユーザによってなされると、
前記内部記録媒体に録画されている番組のうち、前記シリーズ最終回番組と同じリーズの全ての番組を一括して前記外部記録媒体にダビングする、
ことを特徴とする請求項１に記載の録画再生装置。
【請求項３】
前記番組録画手段は、
ユーザによる録画操作を受けて、そのときに放送されている番組を録画する通常録画手段と、
ユーザによる番組の指定又は時間帯の指定を受けて、自動的に前記指定された番組又は前記指定された時間帯に放送される番組を録画する予約録画手段とを有し、
前記通常録画手段は、
該通常録画手段による録画を終了した後、本装置の電源をオンに維持し、
前記予約録画手段は、
該予約録画手段による録画を開始するときに本装置の電源がオンになっている場合には、該予約録画手段による録画を終了した後、本装置の電源をオンに維持し、
該予約録画手段による録画を開始するときに本装置の電源がオフになっている場合には、自動的に本装置の電源をオンにして、該予約録画手段による録画を開始し、該予約録画手段による録画を終了した後、自動的に本装置の電源をオフにし、
前記ダビングメッセージ報知手段は、
前記番組録画手段による前記シリーズ最終回番組の録画が、前記通常録画手段によるものである場合、又は、本装置の電源がオンになっている状態からの前記予約録画手段によるものである場合には、前記番組録画手段による前記シリーズ最終回番組の録画が終了したときに、前記ダビングメッセージを報知し、
前記番組録画手段による前記シリーズ最終回番組の録画が、本装置の電源がオフになっている状態からの前記予約録画手段によるものである場合には、ユーザの操作によって次に本装置の電源がオンにされたときに、前記ダビングメッセージを報知する、
ことを特徴とする請求項２に記載の録画再生装置。
【発明の詳細な説明】
【技術分野】
【０００１】
本発明は、テレビジョン放送局から放送されるテレビジョン放送の番組を録画し、録画したテレビジョン放送の番組を再生する録画再生装置に関するものである。
【背景技術】
【０００２】
従来から、テレビジョン放送の番組を録画し、録画したテレビジョン放送の番組を再生する録画再生装置がある。このような録画再生装置は、テレビジョン放送の番組を、録画再生装置に内蔵されている例えばハードディスクなどの内部記録媒体に録画するようになっている。また、このような録画再生装置において、内部記録媒体に録画したテレビジョン放送の番組を、録画再生装置に装着／取外しされる例えば光ディスクなどの外部記録媒体にダビングすることができるダビング機能を備えたものがある。
【０００３】
このようなダビング機能を備えた録画再生装置においては、複数の番組を一括してダビングする場合、ユーザが、録画されている番組の番組リストの中からダビングしたい番組を一つずつ選択して、ダビングしたい複数の番組のリストであるダビングリストを作成し、そして、ダビングリストの複数の番組を一括してダビングするようにしたものがある。しかしながら、このような録画再生装置では、ダビングリストを作成するためのユーザの操作が必要であり、面倒である。
【０００４】
そこで、ダビング機能を備えた録画再生装置において、録画した番組を録画再生装置が自動的にグループ分けし、自動的にグループ分けされた単位で一括して（すなわち自動的にグループ分けされた複数の番組を一括して）ダビングするようにしたものもある。
【０００５】
一方、１つのコンテンツを指定してダビングする指示がユーザによってなされたとき、指定されたコンテンツがグループ識別子と関連付けられている場合には、そのグループ識別子と関連付けられている全てのコンテンツをダビングするようにしたものが知られている（例えば特許文献１参照）。また、一括ダビングの指示がユーザによってなされたとき、消去されることから保護するように設定された映像音声情報のうち、未だダビングされていない映像音声情報を一括してダビングするようにした録画装置が知られている（例えば特許文献２参照）。
【先行技術文献】
【特許文献】
【０００６】
【特許文献１】特開２００８−７７７３５号公報
【特許文献２】特開２００７−２００４０２号公報
【発明の概要】
【発明が解決しようとする課題】
【０００７】
ところで、テレビジョン放送の番組には、複数回に亘って放送されるシリーズの番組がある。ユーザは、このようなシリーズの番組については、シリーズの最終回の番組を録画した後に、シリーズの全ての番組を一括してダビングすることが考えられる。
【０００８】
ところが、従来の録画再生装置においては、シリーズの最終回の番組が録画されても、ユーザに何らメッセージを報知するようにはなっていない。このため、ユーザは、シリーズの最終回の番組が録画された後、そのシリーズの番組をダビングし忘れてしまうことがあり、その結果、シリーズの番組をダビングすることなく消去してしまって、シリーズの番組のダビングに失敗してしまうことがある。なお、上述した特許文献１及び特許文献２に開示の内容を適用したとしても、上記の問題を解決することはできない。
【０００９】
本発明は、上記課題を解決するためになされたものであり、シリーズの番組をダビングし忘れるといったユーザの失敗を軽減することができる録画再生装置を提供することを目的とする。
【課題を解決するための手段】
【００１０】
上記目的を達成するために請求項１の発明は、テレビジョン放送局から放送されるテレビジョン放送の番組を録画し、録画したテレビジョン放送の番組を再生する録画再生装置において、テレビジョン放送局から放送されているテレビジョン放送の番組を本装置に内蔵の内部記録媒体に録画する番組録画手段と、内部記録媒体に録画されているテレビジョン放送の番組を本装置に装着／取外しされる外部記録媒体にダビングする番組ダビング手段と、番組録画手段によりテレビジョン放送の番組としてシリーズの最終回の番組であるシリーズ最終回番組が録画されると、シリーズ最終回番組と同じシリーズの全ての番組をダビングすることをユーザに促すメッセージであるダビングメッセージを報知するダビングメッセージ報知手段と、を備えるものである。
【００１１】
請求項２の発明は、請求項１に記載の録画再生装置において、ダビングメッセージ報知手段は、ダビングメッセージとして、シリーズ最終回番組と同じシリーズの全ての番組をダビングすることに応じるか否かをユーザに選択操作させるためのメッセージを報知し、番組ダビング手段は、ダビングメッセージ報知手段によるダビングメッセージの報知後、シリーズ最終回番組と同じシリーズの全ての番組をダビングすることに応じる旨の操作がユーザによってなされると、内部記録媒体に録画されている番組のうち、シリーズ最終回番組と同じシリーズの全ての番組を一括して外部記録媒体にダビングするものである。
【００１２】
請求項３の発明は、請求項２に記載の録画再生装置において、番組録画手段は、ユーザによる録画操作を受けて、そのときに放送されている番組を録画する通常録画手段と、ユーザによる番組の指定又は時間帯の指定を受けて、自動的に指定された番組又は指定された時間帯に放送される番組を録画する予約録画手段とを有し、通常録画手段は、該通常録画手段による録画を終了した後、本装置の電源をオンに維持し、予約録画手段は、該予約録画手段による録画を開始するときに本装置の電源がオンになっている場合には、該予約録画手段による録画を終了した後、本装置の電源をオンに維持し、該予約録画手段による録画を開始するときに本装置の電源がオフになっている場合には、自動的に本装置の電源をオンにして、該予約録画手段による録画を開始し、該予約録画手段による録画を終了した後、自動的に本装置の電源をオフにし、ダビングメッセージ報知手段は、番組録画手段によるシリーズ最終回番組の録画が、通常録画手段によるものである場合、又は、本装置の電源がオンになっている状態からの予約録画手段によるものである場合には、番組録画手段によるシリーズ最終回番組の録画が終了したときに、ダビングメッセージを報知し、番組録画手段によるシリーズ最終回番組の録画が、本装置の電源がオフになっている状態からの予約録画手段によるものである場合には、ユーザの操作によって次に本装置の電源がオンにされたときに、ダビングメッセージを報知するものである。
【発明の効果】
【００１３】
請求項１の発明によれば、テレビジョン放送の番組としてシリーズの最終回の番組であるシリーズ最終回番組が録画されると、そのシリーズ最終回番組が録画された後、その（今回録画された）シリーズ最終回番組と同じシリーズの全ての番組をダビングすることをユーザに促すメッセージであるダビングメッセージが報知される。これにより、ユーザは、そのダビングメッセージによって、今回録画されたシリーズ最終回番組と同じシリーズの全ての番組をダビングすべきか否かについて、注意を喚起される。従って、シリーズの番組をダビングし忘れるといったユーザの失敗を軽減することができ、さらには、シリーズの番組をダビングすることなく消去してしまうという事態を防ぐことができ、シリーズの番組のダビングに失敗するという事態を防ぐことができる。
【００１４】
請求項２の発明によれば、ユーザは、ダビングメッセージが報知された後、そのダビングメッセージに応じる（今回録画されたシリーズ最終回番組と同じシリーズの全ての番組をダビングすることに応じる）旨の操作をするだけで、録画されている複数の番組の中から、今回録画されたシリーズ最終回番組と同じシリーズの番組を一括して外部記録媒体にダビングすることができる。これにより、録画されている複数の番組の中からダビングしたい番組や番組のグループを選択するという面倒な操作をなくすことができる。従って、ユーザは、単純な操作によって、シリーズの番組をダビングすることができ、ユーザに不快感を与えることがない。
【００１５】
請求項３の発明によれば、シリーズ最終回番組が録画された後、ユーザが気付き易い適切なタイミングでダビングメッセージが報知される。これにより、ユーザは、今回録画されたシリーズ最終回番組と同じシリーズの全ての番組をダビングすべきか否かについて、より確実に注意を喚起される。従って、シリーズの番組をダビングし忘れるといったユーザの失敗をより一層軽減することができる。
【図面の簡単な説明】
【００１６】
【図１】本発明の一実施形態に係る録画再生装置の概略構成を示す電気的ブロック構成図。
【図２】同録画再生装置のダビング補助動作を示すフローチャート。
【発明を実施するための形態】
【００１７】
以下、本発明を具体化した実施形態による録画再生装置について図面を参照して説明する。図１は、本実施形態による録画再生装置の構成を示す。録画再生装置１は、テレビジョン放送局から放送されるテレビジョン放送の番組を録画、録音し、録画、録音したテレビジョン放送の番組を再生する装置である。録画再生装置１は、外部装置９０を接続して使用するようになっており、録画、録音したテレビジョン放送の番組を、外部装置９０によって再生するようになっている。
【００１８】
この録画再生装置１は、ユーザによる操作を受けて、録画、録音したテレビジョン放送の番組を外部記録媒体である光ディスク５０にダビング（コピー）することができるようになっている。また、この録画再生装置１は、自動的に、ユーザによるテレビジョン放送の番組をダビングする行為を補助するダビング補助動作を行うようになっている。
【００１９】
録画再生装置１は、チューナ２と、エンコーダ３と、ＨＤＤ装置４と、光ディスクドライブ装置５と、デコーダ６と、ＯＳＤ処理部７と、映像出力部８と、音声出力部９と、リモコン１０と、リモコン受信部１１と、フラッシュＲＯＭ１２と、ＲＡＭ１３と、録画再生装置１の動作を制御するシステム制御部１４等を備える。
【００２０】
チューナ２は、システム制御部１４による制御のもと、その受信周波数がテレビジョン放送のチャンネルに対応する周波数に設定されることにより、そのチャンネル（その周波数）のテレビジョン信号（テレビジョン放送局から電波の形態で放送されるテレビジョン信号）をアンテナ２ａを介して受信し、受信したテレビジョン信号を出力する。
【００２１】
テレビジョン信号には、テレビジョン放送による映像の映像信号、テレビジョン放送による音声の音声信号、テレビジョン放送の番組に関する番組情報を表わす番組情報信号等が含まれている。番組情報には、テレビジョン放送の番組が複数回に亘って放送されるシリーズの番組であるか否かの情報、テレビジョン放送の番組がシリーズの番組である場合に、第何回目の番組であるかの情報、シリーズを識別する情報、放送日時等の各種情報が含まれている。
【００２２】
エンコーダ３は、チューナ２から出力されたテレビジョン信号をエンコード処理して、テレビジョン放送による映像の映像データ（テレビジョン放送の番組の映像データ）、テレビジョン放送による音声の音声データ（テレビジョン放送の番組の音声データ）、テレビジョン放送の番組に関する番組情報データを生成する。
【００２３】
ＨＤＤ装置４は、内部記録媒体であるハードディスク４０を内蔵しており、システム制御部１４による制御のもと、エンコーダ３により生成された映像データ、音声データ、番組情報データをハードディスク４０に記録する。また、ＨＤＤ装置４は、システム制御部１４による制御のもと、ハードディスク４０に記録されている映像データ、音声データ、番組情報データを読出す。
【００２４】
光ディスクドライブ装置５は、外部記録媒体であるＣＤ、ＤＶＤ、ＢＤ（ブルーレイディスク）等の光ディスク５０が装着／取外しされるようになっており、システム制御部１４による制御のもと、エンコーダ３により生成された映像データ、音声データ、番組情報データを光ディスク５０に記録する。また、光ディスクドライブ装置５は、システム制御部１４による制御のもと、ＨＤＤ装置４によりハードディスク４０から読出された映像データ、音声データ、番組情報データを光ディスク５０に記録する。また、光ディスクドライブ装置５は、システム制御部１４による制御のもと、光ディスク５０に記録されている映像データ、音声データ、番組情報データを読出す。
【００２５】
デコーダ６は、システム制御部１４による制御のもと、ＨＤＤ装置４によりハードディスク４０から読出された映像データ及び音声データをデコード処理して、それら映像データ及び音声データによる映像信号及び音声信号を生成する。また、デコーダ６は、システム制御部１４による制御のもと、光ディスクドライブ装置５により光ディスク５０から読出された映像データ及び音声データをデコード処理して、それら映像データ及び音声データによる映像信号及び音声信号を生成する。また、デコーダ６は、システム制御部１４による制御のもと、エンコーダ３により生成された映像データ及び音声データをデコード処理して、それら映像データ及び音声データによる映像信号及び音声信号を生成する。
【００２６】
ＯＳＤ処理部７は、システム制御部１４による制御のもと、リモコン１０による各種操作手順や各種設定の案内、ユーザに対するメッセージ等の各種映像をＯＳＤ表示するための映像信号を生成する。
【００２７】
映像出力部８は、デコーダ６から出力される映像信号に画質調整処理等の各種処理をして、その処理した映像信号を出力する。また、映像出力部８は、ＯＳＤ処理部７から出力される映像信号に画質調整処理等の各種処理をして、その処理した映像信号を出力する。音声出力部９は、デコーダ６から出力される音声信号に音質調整処理等の各種処理をして、その処理した音声信号を出力する。映像出力部８から出力された映像信号及び音声出力部９から出力された音声信号は、外部装置９０に供給され、映像出力部８から出力された映像信号による映像が外部装置９０のディスプレイ９１に表示されると共に、音声出力部９から出力された音声信号による音声が外部装置９０のスピーカ９２から出力される。
【００２８】
リモコン１０は、録画再生装置１のテレビジョン放送の受信チャンネルの選局、テレビジョン放送の番組の録画、録画した番組の再生、録画した番組のダビング等、録画再生装置１の各種動作を指示するためにユーザにより操作される。リモコン１０は、録画再生装置１の各種動作を指示するためにユーザに操作される各種操作キーを備えており、各種操作キーが操作されることにより、その操作内容を示す操作信号を送信する。リモコン受信部１１は、リモコン１０から送信された操作信号を受信して、リモコン１０の操作内容を示すリモコン受信信号を出力する。
【００２９】
フラッシュＲＯＭ１２は、録画再生装置１の動作を制御するためのプログラムや各種データを記憶している。ＲＡＭ１３は、システム制御部１４による制御のもと、録画再生装置１の動作に関わる各種データを一時的に記憶する。
【００３０】
システム制御部１４は、リモコン受信部１１から出力されるリモコン受信信号に基いて、リモコン１０の操作内容を判断する。そして、システム制御部１４は、ユーザによるリモコン１０の操作を受けて、フラッシュＲＯＭ１２に記憶しているプログラムや各種データに基いて、録画再生装置１の各種動作を制御する。
【００３１】
システム制御部１４は、録画再生装置１の各種動作として、放送番組視聴動作、ハードディスク録画動作、光ディスク録画動作、ダビング動作、ハードディスク再生動作、光ディスク再生動作、ＯＳＤ表示動作等の動作を制御する。
【００３２】
放送番組視聴動作とは、テレビジョン放送局から放送されているテレビジョン放送の番組を外部装置９０によって視聴可能に出力する動作である。放送番組視聴動作は、システム制御部１４による制御のもと、以下のようにして行われる。すなわち、システム制御部１４は、放送局から放送されるテレビジョン信号をチューナ２により受信させて、チューナ２から出力されるテレビジョン信号をエンコーダ３によりエンコード処理させ、エンコーダ３により生成された映像データ（テレビジョン放送による映像の映像データ）及び音声データ（テレビジョン放送による音声の音声データ）をデコーダ６によりデコード処理させる。これにより、放送局から放送されているテレビジョン放送の番組の映像の映像信号が映像出力部８から出力されて外部装置９０に供給されると共に、放送局から放送されているテレビジョン放送の番組の音声の音声信号が音声出力部９から出力されて外部装置９０に供給され、放送局から放送されているテレビジョン放送の番組が外部装置９０によって視聴可能に出力される。放送番組視聴動作は、ユーザによるリモコン１０の操作を受けて行われる。
【００３３】
ハードディスク録画動作とは、テレビジョン放送局から放送されているテレビジョン放送の番組をハードディスク４０に録画する動作である。ハードディスク録画動作は、システム制御部１４による制御のもと、以下のようにして行われる。すなわち、システム制御部１４は、放送局から放送されるテレビジョン信号をチューナ２により受信させて、チューナ２から出力されるテレビジョン信号をエンコーダ３によりエンコード処理させ、エンコーダ３により生成された映像データ（テレビジョン放送による映像の映像データ）及び音声データ（テレビジョン放送による音声の音声データ）をＨＤＤ装置４によりハードディスク４０に記録させる。これにより、テレビジョン放送局から放送されているテレビジョン放送の番組がハードディスク４０に録画、録音される。このとき、システム制御部１４は、ハードディスク４０に録画、録音した番組を管理するために、エンコーダ３により生成された番組情報データをＨＤＤ装置４によりハードディスク４０に記録させる。番組情報データは、録画、録音されたテレビジョン放送の番組と対応付け記録される。ハードディスク録画動作は、ユーザによるリモコン１０の操作を受けて行われる。
【００３４】
ハードディスク録画動作には、通常録画（即時録画）動作と予約録画動作がある。通常録画動作とは、ユーザによる録画操作を受けて、そのときに放送されているテレビジョン放送の番組をハードディスク４０に録画、録音する動作であって、放送番組視聴動作で視聴可能に出力しているテレビジョン放送の番組をハードディスク４０に録画、録音する動作である。すなわち、システム制御部１４は、放送番組視聴動作を行っているときに、ユーザによるリモコン１０の録画開始操作を受けて、そのときに外部装置９０によって視聴可能に出力されているテレビジョン放送の番組のハードディスク４０への録画、録音を開始し、そして、ユーザによるリモコン１０の録画終了操作を受けて、その録画、録音を終了する。これにより、放送番組視聴動作で視聴可能に出力しているテレビジョン放送の番組がハードディスク４０に録画、録音される。なお、システム制御部１４は、通常録画動作を終了した後、録画再生装置１の電源をオンに維持し、放送番組視聴動作を行う。
【００３５】
予約録画動作とは、ユーザによる番組の指定又は時間帯の指定を受けて、自動的に、その指定された番組又は指定された時間帯に放送される番組をハードディスク４０に録画、録音する動作である。番組の指定及び時間帯の指定は、ユーザがリモコン１０を操作することにより行われる。予約録画動作は、システム制御部１４による制御のもと、以下のようにして行われる。すなわち、システム制御部１４は、ユーザによるリモコン１０の操作を受けて、予約録画動作により録画する番組又は時間帯を設定し、設定した番組が放送されると又は設定した時間帯になると、自動的に、設定した番組又は設定した時間帯に放送される番組のハードディスク４０への録画、録音を開始し、そして、設定した番組の放送が終了すると又は設定した時間帯を過ぎると、自動的に、その録画、録音を終了する。これにより、ユーザにより予め指定された番組又は指定された時間帯に放送される番組が自動的にハードディスク４０に録画、録音される。
【００３６】
このとき、システム制御部１４は、予約録画動作による録画、録音（ユーザにより指定された番組又は指定された時間帯に放送される番組の録画、録音）を開始するときに録画再生装置１の電源がオンになっていた場合には、予約録画動作による録画、録音を終了した後、録画再生装置１の電源をオンに維持し、放送番組視聴動作を行う。また、システム制御部１４は、予約録画動作による録画、録音を開始するときに録画再生装置１の電源がオフになっていた場合には、自動的に録画再生装置１の電源をオンにして、予約録画動作による録画、録音を開始し、そして、予約録画動作による録画、録音を終了した後（後述するダビング補助動作における録画番組検索処理（＃４）を行った後）、自動的に録画再生装置１の電源をオフにする。チューナ２、エンコーダ３、ＨＤＤ装置４、フラッシュＲＯＭ１２に記憶しているプログラムや各種データ、及びシステム制御部１４等によって、テレビジョン放送局から放送されているテレビジョン放送の番組をハードディスク４０に録画する番組録画手段、通常録画手段、予約録画手段が構成されている。
【００３７】
光ディスク録画動作とは、テレビジョン放送局から放送されているテレビジョン放送の番組を光ディスク５０に録画する動作である。光ディスク録画動作は、システム制御部１４による制御のもと、以下のようにして行われる。すなわち、システム制御部１４は、放送局から放送されるテレビジョン信号をチューナ２により受信させて、チューナ２から出力されるテレビジョン信号をエンコーダ３によりエンコード処理させ、エンコーダ３により生成された映像データ及び音声データを光ディスクドライブ装置５により光ディスク５０に記録させる。これにより、テレビジョン放送局から放送されているテレビジョン放送の番組が光ディスク５０に録画、録音される。光ディスク録画動作は、ユーザによるリモコン１０の操作を受けて行われる。
【００３８】
録画番組ダビング動作とは、ハードディスク４０に録画、録音されているテレビジョン放送の番組を光ディスク５０にダビング（コピーにより録画、録音）する動作である。録画番組ダビング動作は、システム制御部１４による制御のもと、以下のようにして行われる。すなわち、システム制御部１４は、ハードディスク４０に録画、録音されているテレビジョン放送の番組の映像データ及び音声データをＨＤＤ装置４により読出させ、ＨＤＤ装置４により読出された映像データ及び音声データを光ディスクドライブ装置５により光ディスク５０に記録させる。これにより、ハードディスク４０に録画、録音されているテレビジョン放送の番組が光ディスク５０にダビング（コピーにより録画、録音）される。録画番組ダビング動作は、ユーザによるリモコン１０の操作を受けて行われる。光ディスクドライブ装置５、フラッシュＲＯＭ１２に記憶しているプログラムや各種データ、及びシステム制御部１４等によって、ハードディスク４０に録画されているテレビジョン放送の番組を光ディスク５０にダビングする番組ダビング手段が構成されている。
【００３９】
ハードディスク再生動作とは、ハードディスク４０に録画、録音されているテレビジョン放送の番組を外部装置９０によって視聴可能に再生する動作である。ハードディスク再生動作は、システム制御部１４による制御のもと、以下のようにして行われる。すなわち、システム制御部１４は、ハードディスク４０に録画、録音されているテレビジョン放送の番組の映像データ及び音声データをＨＤＤ装置４により読出させ、ＨＤＤ装置４により読出された映像データ及び音声データをデコーダ６によりデコード処理させる。これにより、ハードディスク４０に録画、録音されているテレビジョン放送の番組の映像の映像信号が映像出力部８から出力されて外部装置９０に供給されると共に、ハードディスク４０に録画、録音されているテレビジョン放送の番組の音声の音声信号が音声出力部９から出力されて外部装置９０に供給され、ハードディスク４０に録画、録音されているテレビジョン放送の番組が外部装置９０によって視聴可能に再生される。ハードディスク再生動作は、ユーザによるリモコン１０の操作を受けて行われる。
【００４０】
光ディスク再生動作とは、光ディスク５０に録画、録音されているテレビジョン放送の番組を外部装置９０によって視聴可能に再生する動作である。光ディスク再生動作は、システム制御部１４による制御のもと、以下のようにして行われる。すなわち、システム制御部１４は、光ディスク５０に録画、録音されているテレビジョン放送の番組の映像データ及び音声データを光ディスクドライブ装置５により読出させ、光ディスクドライブ装置５により読出された映像データ及び音声データをデコーダ６によりデコード処理させる。これにより、光ディスク５０に録画、録音されているテレビジョン放送の番組の映像の映像信号が映像出力部８から出力されて外部装置９０に供給されると共に、光ディスク５０に録画、録音されているテレビジョン放送の番組の音声の音声信号が音声出力部９から出力されて外部装置９０に供給され、光ディスク５０に録画、録音されているテレビジョン放送の番組が外部装置９０によって視聴可能に再生される。光ディスク再生動作は、ユーザによるリモコン１０の操作を受けて行われる。
【００４１】
ＯＳＤ表示動作とは、リモコン１０による各種操作手順や各種設定の案内、ユーザに対するメッセージ等の各種映像を外部装置９０によってＯＳＤ表示する動作である。ＯＳＤ表示動作は、システム制御部１４による制御のもと、以下のようにして行われる。すなわち、システム制御部１４は、ユーザによるリモコン１０の操作や録画再生装置１の動作に応じて、外部装置９０によって表示しようとする映像の映像信号をＯＳＤ処理部７により生成させる。これにより、その映像の映像信号が映像出力部８から出力されて外部装置９０に供給され、その映像が外部装置９０のディスプレイ９１にＯＳＤ表示される。
【００４２】
また、システム制御部１４は、録画再生装置１の各種動作として、ダビング補助動作を制御する。ダビング補助動作とは、ユーザがハードディスク４０に録画、録音したテレビジョン放送の番組を光ディスク５０にダビングし忘れないように、ユーザによるテレビジョン放送の番組をダビングする行為を補助する動作である。ダビング補助動作は、ハードディスク録画動作（通常録画動作又は予約録画動作）が行われたときに、自動的に行われる。
【００４３】
図２は、上記録画再生装置１のダビング補助動作のフローチャートを示す。ダビング補助動作は、システム制御部１４による制御のもと、以下のようにして行われる。すなわち、システム制御部１４は、ハードディスク録画動作によるテレビジョン放送の番組のハードディスク４０への録画、録音を終了すると（＃１）、その録画、録音した（今回のハードディスク録画動作によりハードディスク４０に録画、録音した）テレビジョン放送の番組がシリーズの最終回の番組であるシリーズ最終回番組か否かを判別する最終回判別処理を行う（＃２）。最終回判別処理は、今回のハードディスク録画動作によりハードディスク４０に録画、録音したテレビジョン放送の番組の番組情報データを基に行われる。
【００４４】
ここで、＃２における最終回判別処理の結果、今回のハードディスク録画動作によりハードディスク４０に録画、録音したテレビジョン放送の番組がシリーズ最終回番組である場合には（＃３でＹＥＳ）、システム制御部１４は、ハードディスク４０に録画、録音されている番組の中から、今回のハードディスク録画動作によりハードディスク４０に録画、録音したシリーズ最終回番組と同じシリーズの最終回以外（最終回より前）の番組を検索する録画番組検索処理を行う（＃４）。録画番組検索処理は、過去にハードディスク４０に録画、録音したテレビジョン放送の番組の番組情報データを基に行われる。
【００４５】
そして、＃４における録画番組検索処理の結果を基に、システム制御部１４は、今回のハードディスク録画動作によりハードディスク４０に録画、録音したシリーズ最終回番組と同じシリーズの最終回より前の番組がハードディスク４０に録画、録音されているか否かを判断する（＃５）。
【００４６】
ここで、今回のハードディスク録画動作によりハードディスク４０に録画、録音したシリーズ最終回番組と同じシリーズの最終回より前の番組がハードディスク４０に録画、録音されている場合には（＃５でＹＥＳ）、システム制御部１４は、今回のハードディスク録画動作によりハードディスク４０に録画、録音したシリーズ最終回番組と同じシリーズの全ての番組をダビングすることをユーザに促すメッセージであるダビングメッセージを報知する（＃６）。
【００４７】
なお、今回のハードディスク録画動作によるシリーズ最終回番組の録画、録音が、通常録画動作によるものである場合、又は、録画再生装置１の電源がオンになっている状態からの予約録画動作によるものである場合には、システム制御部１４は、上記＃１においてハードディスク４０への録画、録音を終了した後、ハードディスク録画動作における制御動作に従って、録画再生装置１の電源をオンに維持し、放送番組視聴動作を行う。また、今回のハードディスク録画動作によるシリーズ最終回番組の録画、録音が、録画再生装置１の電源がオフになっている状態からの予約録画動作によるものである場合には、システム制御部１４は、上記＃５においてシリーズ最終回番組と同じシリーズの最終回より前の番組がハードディスク４０に録画、録音されているか否かを判断した後、ハードディスク録画動作における制御動作に従って、録画再生装置１の電源をオフにする。
【００４８】
従って、今回のハードディスク録画動作によるシリーズ最終回番組の録画、録音が、通常録画動作によるものである場合、又は、録画再生装置１の電源がオンになっている状態からの予約録画動作によるものである場合には、システム制御部１４は、今回のハードディスク録画動作によるシリーズ最終回番組の録画、録音を終了したとき（録画、録音を終了した直後）に、ダビングメッセージを報知する。また、今回のハードディスク録画動作によるシリーズ最終回番組の録画、録音が、録画再生装置１の電源がオフになっている状態からの予約録画動作によるものである場合には、システム制御部１４は、ユーザの操作によって次に録画再生装置１の電源がオンにされたとき（電源がオンされた直後）に、ダビングメッセージを報知する。
【００４９】
ダビングメッセージの報知は、ＯＳＤ表示動作によって、ダビングメッセージを表わす映像を外部装置９０のディスプレイ９１によってＯＳＤ表示することにより行われる。すなわち、システム制御部１４は、ダビングメッセージを表わす映像の映像信号をＯＳＤ処理部７により生成させる。これにより、ダビングメッセージを表わす映像の映像信号が映像出力部８から出力されて外部装置９０に供給され、ダビングメッセージを表わす映像が外部装置９０のディスプレイ９１にＯＳＤ表示されて、ダビングメッセージが報知される。ＯＳＤ処理部７、映像出力部８、フラッシュＲＯＭ１２に記憶しているプログラムや各種データ、及びシステム制御部１４等によって、シリーズ最終回番組と同じシリーズの全ての番組をダビングすることを促すメッセージであるダビングメッセージを報知するダビングメッセージ報知手段が構成されている。
【００５０】
このとき、システム制御部１４は、ダビングメッセージとして、シリーズ最終回番組と同じシリーズの全ての番組をダビングすることに応じるか否かをユーザに選択操作させるためのメッセージを報知する。つまり、システム制御部１４は、ダビングメッセージとして、例えば「シリーズの最終回の番組の録画を終了しました。シリーズの全ての番組を一括してダビングすることができます。シリーズの全ての番組を一括してダビングする場合には、光ディスクをセットして、ＯＫボタンを押してください。ダビングしない場合には、キャンセルボタンを押してください」などのメッセージを報知する。
【００５１】
ここで、＃６におけるダビングメッセージの報知後、所定時間（例えば３０秒）内に、ユーザによりリモコン１０が操作されて、シリーズ最終回番組と同じシリーズの全ての番組をダビングすることに応じる旨の操作（例えばリモコン１０のＯＫボタンを押圧する操作）がユーザによってなされると（＃７でＹＥＳ）、システム制御部１４は、ダビングメッセージの報知を終了し、今回録画、録音したシリーズ最終回番組と同じシリーズの全ての番組を一括してダビングする一括ダビング処理を行う（＃８）。一括ダビング処理は、上記の録画番組ダビング動作によって、ハードディスク４０に録画、録音されている番組のうち、今回録画、録音したシリーズ最終回番組と同じシリーズの全ての番組（今回録画、録音したシリーズ最終回番組を含む）を一括して光ディスク５０にダビングすることにより行われる。
【００５２】
そして、＃８における一括ダビング処理を行った後、システム制御部１４は、ダビング補助動作を終了する。なお、上記＃２における最終回判別処理の結果、録画、録音したテレビジョン放送の番組がシリーズ最終回番組でない場合には（＃３でＮＯ）、システム制御部１４は、＃６以降の処理を行うことなく（すなわち、ダビングメッセージを報知することなく、また、一括ダビング処理を行うことなく）、ダビング補助動作を終了する。また、上記＃４における録画番組検索処理の結果、録画、録音したシリーズ最終回番組と同じシリーズの最終回以前の番組がハードディスク４０に録画、録音されていない場合にも（＃５でＮＯ）、システム制御部１４は、＃６以降の処理を行うことなく、ダビング補助動作を終了する。また、上記＃６におけるダビングメッセージの報知後、所定時間（例えば３０秒）内に、ダビングすることに応じない旨の操作がユーザによってなされると、又は、何の操作もユーザによってなされないと（＃７でＮＯ）、システム制御部１４は、ダビングメッセージの報知を終了して、＃８の処理を行うことなく（すなわち、一括ダビング処理を行うことなく）、ダビング補助動作を終了する。ダビング補助動作は、このようにして行われる。
【００５３】
このような構成の録画再生装置１によれば、テレビジョン放送の番組としてシリーズ最終回番組がハードディスク４０に録画、録音されると、そのシリーズ最終回番組がハードディスク４０に録画、録音された後、その（今回録画、録音された）シリーズ最終回番組と同じシリーズの全ての番組をダビングすることをユーザに促すダビングメッセージが報知される。これにより、ユーザは、そのダビングメッセージによって、今回ハードディスク４０に録画、録音されたシリーズ最終回番組と同じシリーズの全ての番組を光ディスク５０にダビングすべきか否かについて、注意を喚起される。従って、ハードディスク４０に録画、録音されたシリーズの番組を光ディスク５０にダビングし忘れるといったユーザの失敗を軽減することができる。さらには、ハードディスク４０に録画、録音されたシリーズの番組を光ディスク５０にダビングすることなく消去してしまうという事態を防ぐことができ、ハードディスク４０に録画、録音されたシリーズの番組の光ディスク５０へのダビングに失敗するという事態を防ぐことができる。
【００５４】
しかも、ダビングメッセージが報知された後、そのダビングメッセージに応じる（今回録画、録音されたシリーズ最終回番組と同じシリーズの全ての番組をダビングすることに応じる）旨の操作がユーザによってなされると、ハードディスク４０に録画、録音されている番組のうち、今回録画、録音されたシリーズ最終回番組と同じシリーズの全ての番組が一括して光ディスク５０にダビングされる。すなわち、ユーザは、ダビングメッセージが報知された後、そのダビングメッセージに応じる旨の操作をするだけで、ハードディスク４０に録画、録音されている複数の番組の中から、今回録画、録音されたシリーズ最終回番組と同じシリーズの番組を一括して光ディスク５０にダビングすることができる。これにより、ハードディスク４０に録画、録音されている複数の番組の中からダビングしたい番組や番組のグループを選択するという面倒な操作をなくすことができる。従って、ユーザは、単純な操作によって、ハードディスク４０に録画、録音されたシリーズの番組を光ディスク５０にダビングすることができ、ユーザに不快感を与えることがない。
【００５５】
また、ダビングメッセージは、シリーズ最終回番組の録画、録音を終了したとき、又は、ユーザの操作によって録画再生装置１の電源がオンにされたときに、報知される。すなわち、ダビングメッセージは、ユーザが気付き易い適切なタイミングで報知される。これにより、ユーザは、今回ハードディスク４０に録画、録音されたシリーズ最終回番組と同じシリーズの全ての番組を光ディスク５０にダビングすべきか否かについて、より確実に注意を喚起される。従って、シリーズの番組を光ディスク５０にダビングし忘れるといったユーザの失敗をより一層軽減することができる。
【００５６】
なお、本発明は、上記実施形態の構成に限られず、種々の変形が可能である。例えば、ダビングメッセージは、「シリーズの最終回の番組の録画を終了しました。シリーズの全ての番組をダビングすることを推奨します」のようなメッセージであってもよい。このようなダビングメッセージによっても、今回録画されたシリーズ最終回番組と同じシリーズの全ての番組をダビングすべきか否かについて、ユーザに注意を喚起させることができ、シリーズの番組をダビングし忘れるといったユーザの失敗を軽減することができる。また、ダビングメッセージは、例えば、シリーズの第何回目の番組が録画、録音されているかを表わすメッセージ等、ユーザがダビングするか否かを判断するのに有用となるメッセージを含んでいてもよい。
【００５７】
また、ダビングメッセージの報知は、ダビングメッセージを表わす映像を表示することに限られず、ダビングメッセージを表わす音声を出力することによって行ってもよい。また、テレビジョン放送の番組の録画先は、ハードディスクに限られず、ハードディスク以外の内部記録媒体であってもよい。また、録画された番組のダビング先は、光ディスクに限られず、光ディスク以外の外部記録媒体であってもよい。
【符号の説明】
【００５８】
１    録画再生装置
２    チューナ
２ａ    アンテナ
３    エンコーダ
４    ＨＤＤ装置
５    光ディスクドライブ装置
６    デコーダ
７    ＯＳＤ処理部
８    映像出力部
９    音声出力部
１０    リモコン
１１    リモコン受信部
１２    フラッシュＲＯＭ
１３    ＲＡＭ
１４    システム制御部
４０    ハードディスク
５０    光ディスク
９０    外部装置
９１    ディスプレイ
９２    スピーカ
【図１】
2010239238.tif 000003
【図２】
2010239238.tif 000004